(57)【要約】【課題】換気・空調設備における給気吹出し口装置において、給気ボックスの吹出し口から吹出し供給される給気を、室内の空気環境を損なわない程度の低速まで減速拡散して均等化する給気均等化装置を提供する。【解決手段】給気吹出し口装置１において、給気ボックス２の吹出し口４から吹き出される空気の吹出し状態を吹出し口４の開口平面Ａ全体において均等化する給気拡散構造１０が、給気ダクト１０２と給気ボックス２との接続部３に設けられているから、給気ボックス２の吹出し口４から吹出し供給される給気は、室内１００の空気環境を損なわない程度の低速まで減速拡散されて均等化されて、室内１００には、緩やか（ソフト）にかつ均等な給気が吹き出し供給される。【選択図】図１
2008209039.tif 000002
【特許請求の範囲】
【請求項１】
換気設備や空調設備における室内に給気を吹出し供給するための給気吹出し口装置において、空気を供給する給気ダクトと、この給気ダクトから供給される空気を室内に吹き出す吹出し口を備えてなる給気ボックスとの接続部に設けられるものであって、
前記吹出し口から吹き出される空気の吹出し状態を、緩やかにするとともに、吹出し口の開口平面全体において均等化する給気拡散構造を備えている
ことを特徴とする給気均等化装置。
【請求項２】
前記給気拡散構造は複数の気流案内板から構成され、
これら複数の気流案内板は、前記給気ダクトから給気ボックスに供給される空気を複数に分割するとともに、前記吹出し口の開口平面に向けて放射状に案内する配置構成とされてなり、
これら気流案内板の案内作用により、前記給気ダクトから吹き込まれた気流が、減速されるとともに強制的に拡散されて、前記吹出し口に到達する
ことを特徴とする請求項１に記載の給気均等化装置。
【請求項３】
前記給気ボックスの吹出し口の開口平面は、室内天井面と平行な水平面とされ、
前記気流案内板は、前記給気ダクトとの接続部から前記開口平面に対して垂直起立状に延びて配置されている縦型案内板の形態とされている
ことを特徴とする請求項２に記載の給気均等化装置。
【請求項４】
前記給気ボックスの吹出し口の開口平面は、室内天井面と平行な水平面とされ、
前記気流案内板は、少なくとも前記給気ダクトとの接続部から水平状態で延びて配置されている横型案内板の形態とされている
ことを特徴とする請求項２に記載の給気均等化装置。
【請求項５】
前記気流案内板は、前記給気ダクトとの接続部から水平状態で延びた後に下方へ湾曲して前記開口平面まで垂下状に延びて配置されている
ことを特徴とする請求項４に記載の給気均等化装置。
【請求項６】
前記複数の気流案内板は、その両側端縁が前記給気ボックスの内面に一体的に接合固定されて、給気ボックス内に前記給気ダクトから前記吹出し口へ延びる複数の区画された気流案内通路を形成している
ことを特徴とする請求項２から５のいずれか一つに記載の給気均等化装置。
【請求項７】
前記給気拡散構造は、羽根車が回転可能に支持されてなる攪拌風車の形態とされ、
この攪拌風車の回転攪拌作用により、前記給気ダクトから吹き込まれた気流が、減速されるとともに強制的に拡散されて、前記吹出し口に到達する
ことを特徴とする請求項１に記載の給気均等化装置。
【請求項８】
前記攪拌風車は、複数の攪拌羽根が回転軸心まわりに所定間隔をもって円筒状に配されてなる
ことを特徴とする請求項７に記載の給気均等化装置。
【請求項９】
前記攪拌風車は、前記給気ダクトと給気ボックスとの接続部において、給気ダクトの中心軸に対して、前記吹出し口の開口平面に平行な対称位置に一対配置されている
ことを特徴とする請求項７または８に記載の給気均等化装置。
【請求項１０】
換気設備や空調設備において室内に給気を吹出し供給するための給気吹出し口装置であって、
給気ダクトから供給される空気を室内に吹き出す吹出し口を備えてなる給気ボックスにおいて、前記給気ダクトが接続される接続部に、前記吹出し口から吹き出される空気の吹出し状態を、緩やかにするとともに、吹出し口の開口全面において均等にする吹出し給気均等化手段が設けられ、
この給気均等化手段は、請求項１から９のいずれか一つに記載の給気均等化装置からなる
ことを特徴とする給気吹出し口装置。
【発明の詳細な説明】
【技術分野】
【０００１】
本発明は、給気均等化装置および給気吹出し口装置に関し、さらに詳細には、換気設備における排気に対応する給気、あるいは空調設備における還気に対応する給気（往気）を室内に吹出し供給するための給気吹出し口装置において、給気ボックスの吹出し口から室内に供給される空気を、緩やかにするとともに、拡散均等化する技術に関する。
【背景技術】
【０００２】
一般的な換気設備あるいは空調設備においては、給気ダクトを通して送られてくる空気は、給気ダクトよりも大きな容積を有する給気ボックスまたは給気チャンバ（以下、給気ボックスと称する。）を備える給気吹出し口装置を介して室内に供給される（例えば、特許文献１および２等参照）。
【０００３】
このような構成とされるのは、この種の設備における一般的な技術基準からすると、上記給気ダクト内の空気の流速（風速）は６〜８ｍ／ｓｅｃと比較的早いことから、この供給される空気（給気）を上記給気ボックス内で２〜３ｍ／ｓｅｃに減速させてから室内に供給するためである。
【０００４】
すなわち、通常、風速６〜８ｍ／ｓｅｃの給気がその流速を保ったまま密閉された室内に吹出し供給されると、室内に渦流が形成されて、人に不快感を与えるとともに、室内に存在する埃や塵を吹き飛ばして室内環境を悪化させてしまう。そこで、給気ダクトを介して供給される給気を、一旦上記給気ボックス内へ導くことで、その風速を減速させてから室内に吹出し供給するのである。
【０００５】
このように、給気吹出し口装置は、本来、給気ダクト内を送られる給気の風速を減速させてから室内に均等に吹き出すことを目的とした一種の緩衝装置である。このような給気吹出し口装置においては、その主要部である給気ボックスの構成がきわめて重要である。
【０００６】
例えば、上記給気ボックスの内容積が小さいと目的どおりの減速効果を発揮したり、さらには風速の均等化を図ることができない。また、給気ボックスに対する上記給気ダクトの接続位置や接続方向により、給気ボックスの吹出し口から吹き出す給気の流れ（気流）が吹出し口の開口平面においていずれかの側へ片寄って偏流を起こしたり、あるいは、給気ダクト内と同等の高速の給気がそのまま給気ボックス内を通過して室内へ吹き出されてしまうといった問題もしばしば起きている。
【０００７】
人が不快感を受けず、衛生的で健康に配慮した継続的風速は労働衛生基準法で０．５ｍ／ｓｅｃ以下とされている。室内における給気について風速０．５ｍ／ｓｅｃ以下の気流速度を維持するためには、上記給気ボックスの吹出し口から吹き出される給気の吹出し風速（吹出し口の開口平面における面風速）を１．０ｍ／ｓｅｃ以下（室温２５℃の時に、高さ３ｍの天井から下向きに吹き出す２０℃程度の空気）にしないと実現できない。
【０００８】
さらに、近年は建物の高気密化で、室内壁に隙間が少なくなって、隙間風が高速化するとともに、空調・換気の常時稼動により室内には人工的な気流が多数発生する傾向にある。その結果、室内で発生する汚染質、例えば埃や調理排気等の汚れた空気が室内に長時間拡散滞留して、室内空気環境が急激に悪化して、人の健康を害したり、あるいは汚れや付着臭の増加を招いていた。
【０００９】
【特許文献１】特開２００２−３４０３８１号公報
【特許文献２】特開平１０−２６０３号公報
【発明の開示】
【発明が解決しようとする課題】
【００１０】
本発明は、かかる従来の問題点に鑑みてなされたものであって、換気設備や空調設備における給気吹出し口装置において、給気ボックスの吹出し口から吹出し供給される給気を、室内の空気環境を損なわない程度の低速まで減速拡散して均等化することができる構成を備える給気均等化装置を提供することを主たる目的とする。
【００１１】
また、本発明の他の目的は、上記給気均等化装置を備えた給気吹出し口装置を提供することを目的とする。
【課題を解決するための手段】
【００１２】
上記目的を達成するため、本発明の給気均等化装置は、換気設備や空調設備における室内に給気を吹出し供給するための給気吹出し口装置において、空気を供給する給気ダクトと、この給気ダクトから供給される空気を室内に吹き出す吹出し口を備えてなる給気ボックスとの接続部に設けられるものであって、上記吹出し口から吹き出される空気の吹出し状態を、緩やかにするとともに、吹出し口の開口平面全体において均等化する給気拡散構造を備えていることを特徴とする。
【００１３】
好適な実施態様として、以下の構成が採用される。
（１）上記給気拡散構造は複数の気流案内板から構成され、これら複数の気流案内板は、上記給気ダクトから給気ボックスに供給される空気を複数に分割するとともに、上記吹出し口の開口平面に向けて放射状に案内する配置構成とされてなり、これら気流案内板の案内作用により、上記給気ダクトから吹き込まれた気流が、減速されるとともに強制的に拡散されて、上記吹出し口に到達する。
【００１４】
（２）上記給気ボックスの吹出し口の開口平面は、天井面と平行な水平面とされ、上記気流案内板は、上記給気ダクトとの接続部から上記開口平面に対して垂直起立状に延びて配置されている縦型案内板の形態とされる。
【００１５】
（３）上記給気ボックスの吹出し口の開口平面は、天井面と平行な水平面とされ、上記気流案内板は、少なくとも上記給気ダクトとの接続部から水平状態で延びて配置されている横型案内板の形態とされている。
【００１６】
（４）上記気流案内板は、上記給気ダクトとの接続部から水平状態で延びた後に下方へ湾曲して上記開口平面まで垂下状に延びて配置される。
【００１７】
（５）上記複数の気流案内板は、その両側端縁が上記給気ボックスの内面に一体的に接合固定されて、給気ボックス内に上記給気ダクトから上記吹出し口へ延びる複数の区画された気流案内通路を形成する。
【００１８】
（６）上記給気拡散構造は、羽根車が回転可能に支持されてなる攪拌風車の形態とされ、この攪拌風車の回転攪拌作用により、上記給気ダクトから吹き込まれた気流が、減速されるとともに強制的に拡散されて、上記吹出し口に到達する。
【００１９】
（７）上記攪拌風車は、複数の攪拌羽根が回転軸心まわりに所定間隔をもって円筒状に配されてなる。
【００２０】
（８）上記攪拌風車は、上記給気ダクトと給気ボックスとの接続部において、給気ダクトの中心軸に対して、上記吹出し口の開口平面に平行な対称位置に一対配置される。
【００２１】
本発明の給気吹出し口装置は、換気設備や空調設備において室内に給気を吹出し供給するための給気吹出し口装置であって、給気ダクトから供給される空気を室内に吹き出す吹出し口を備えてなる給気ボックスにおいて、上記給気ダクトが接続される接続部に、上記吹出し口から吹き出される空気の吹出し状態を、緩やかにするとともに、吹出し口の開口全面において均等にする吹出し給気均等化手段が設けられ、この給気均等化手段は、上記本発明の給気均等化装置からなることを特徴とする。
【発明の効果】
【００２２】
本発明によれば、換気設備や空調設備における室内に給気を吹出し供給するための給気吹出し口装置において、給気ボックスの吹出し口から吹き出される空気の吹出し状態を吹出し口の開口平面全体において均等化する給気拡散構造を備える給気均等化装置が、空気を供給する給気ダクトと、この給気ダクトから供給される空気を室内に吹き出す吹出し口を備えてなる給気ボックスとの接続部に設けられているから、上記給気ボックスの吹出し口から吹出し供給される給気は、室内の空気環境を損なわない程度の低速まで減速拡散されて均等化される。
【００２３】
この結果、上記吹出し給気により室内に渦流が発生することはなく、人に不快感を与えたり、室内に存在する埃や塵を吹き飛ばして室内環境を悪化させてしまうこともなく、健康的で、汚れや付着臭の少ない換気や空調性能が実現する。
【００２４】
具体的には、一般的な換気設備あるいは空調設備において、給気ダクト内の空気の流速（風速）は６〜８ｍ／ｓｅｃと比較的早いところ、上記給気均等化装置の給気拡散構造によって、１．０ｍ／ｓｅｃ以下まで減速されかつ拡散されて均等される結果、給気ボックスの吹出し口から吹き出される空気の風速つまり室内空気の風速は、人が不快感を受けず、衛生的で健康に配慮した継続的風速とされる０．５ｍ／ｓｅｃ以下に維持させることができる。
【発明を実施するための最良の形態】
【００２５】
以下、本発明の実施形態を図面に基づいて詳細に説明する。
【００２６】
実施形態１
本発明に係る給気吹出し口装置が図１〜図４に示されている。この給気吹出し口装置１は、室内の空気を調節する空調設備の主要部を構成するもので、具体的には図４に示すように、室内１００の天井１０１部位に設けられて、この天井１０１部位から室内１００に給気を吹出し供給する構成とされている。
【００２７】
この給気吹出し口装置１は、天井埋め込み型のものであって、図１に示すような給気ボックス２を主要部として構成されている。
【００２８】
この給気ボックス２は、天井１０１に対して埋め込んで設置される天井埋め込み構造を備え、所定の吹込み空間を有する箱型容器の形態とされてなり、接続部３が給気ダクト１０２に接続されるとともに、吹出し口４が室内１００に臨んで開設されている。また、上記接続部３に、吹出し給気均等化装置（吹出し給気均等化手段）５が設けられている。
【００２９】
上記給気ダクト１０２は、具体的に図示しないが、天井１０１の裏側を水平方向へ延びて室外へ連通するように配管されるとともに、この給気ダクト１０２の端部は、室外に向けて給気口を有する給気ファンや、室内空気を循環する空調機の送風機に接続される。この給気ファンや空調機の送風機としては、軸流ファンやシロッコファン等の公知の給気源が採用されており、この給気ファンの駆動により室内１００への給気がなされる。
【００３０】
図示の実施形態の給気ボックス２は、図１〜図３に示すような中空の直方体容器の形態とされており、ステンレス鋼板や亜鉛鉄板等の薄肉金属板材により形成されている。
【００３１】
この給気ボックス２の垂直な一側壁には、上記接続部３が連設されており、この接続部３は、上記給気ダクト１０２とほぼ同径の円筒形状とされて、給気ダクト１０２に接続可能とされている。
【００３２】
また、給気ボックス２の水平な矩形状底面２ａには、矩形状の吹出し口４が開設され、この吹出し口４は、天井１０１の開設された開口１０１ａに嵌合固定されて、室内に臨む構成とされている。上記吹出し口４には、風向き調整機能を備えた通気カバー部材６が着脱可能に装着されている。この通気カバー部材６に、給気中の塵埃等を濾過除去して給気を清浄化する吹出しフィルタの機能を兼備させることも可能である。
【００３３】
上記給気ボックス２は、具体的には図示しないが、複数本の吊り金具により、天井１０１の上方のコンクリートスラブ（床）に吊持状に固定されるとともに、給気ボックス２の底面外周端縁つまり上記吹出し口４の外周端縁が、上記天井１０１の開口１０１ａに接続されて、天井埋め込み式に装着される。
【００３４】
吹出し給気均等化装置（吹出し給気均等化手段）５は、上記給気ボックス２の吹出し口４から吹き出される空気（給気）の吹出し状態を吹出し口４の開口全面において均等にするためのもので、具体的には、上記吹出し口４から吹き出される空気の吹出し状態を吹出し口４の開口平面全体において均等化する給気拡散構造１０を備えている。
【００３５】
本実施形態の給気拡散構造１０は複数の気流案内板１１、１１、…から構成され、図示の場合は、給気ボックス２の形状寸法に対応して３枚の気流案内板１１ａ、１１ｂ、１１ｃから構成されている。
【００３６】
これら３枚の気流案内板１１ａ、１１ｂ、１１ｃは、上記給気ダクト１０２から給気ボックス２に供給される給気を複数つまり図示の場合は４分割に分割するとともに、上記吹出し口４の開口平面Ａ(図２（ｂ）において、吹出し口４の矩形状端縁４ａを含みかつこの矩形状端縁４ａで囲まれた平面)に向けて放射状に案内する配置構成とされてなる。
【００３７】
具体的には、上記給気ボックス２の吹出し口４の開口平面Ａは、天井１０１面と平行な水平面とされ、上記気流案内板１１ａ、１１ｂ、１１ｃは、少なくとも、上記給気ダクト１０２との接続部３の接続端３ａから水平状態で延びて配置されている横型案内板の形態とされている。換言すれば、これら気流案内板１１ａ、１１ｂ、１１ｃは、図示のごとく、接続部３の接続端３ａから水平状態で延びた後に、下方へ湾曲して上記開口平面Ａまで垂下状に延びて配置されるとともに、給気ボックス２の底面２ａに当接されている。
【００３８】
なお、上記気流案内板１１ａ、１１ｂ、１１ｃ間の間隔寸法は、給気ボックス２の吹出し口４から吹き出される空気（給気）の吹出し状態を吹出し口４の開口全面において均等にするため、給気ダクト１０２により供給される給気量や風速を考慮しつつ、給気源である給気ファンの動力、給気ダクト１０２の内径寸法、延長長さ寸法等に対応して、具体的に適宜設定される。
【００３９】
また、図示の実施形態においては、３枚の気流案内板１１ａ、１１ｂ、１１ｃは、その両側端縁が上記給気ボックス２の内面（接続部３の内径面を含む）に、溶接等の適宜固定手段により一体的に接合固定されて、給気ボックス２内に上記給気ダクト１０２から上記吹出し口４へ延びる複数の区画された気流案内通路を形成している。
【００４０】
なお、本実施形態の給気吹出し口装置１が、例えば、既設の空調設備における給気吹出し口装置と交換される場合などを考慮して、３枚の気流案内板１１ａ、１１ｂ、１１ｃの具体的配置構造が調整設定される構成とされてもよい。この場合は、気流案内板１１ａ、１１ｂ、１１ｃが給気ボックス２の内面に対する接合位置が調整可能とされて、既設の空調設備における給気吹出し口装置と交換される際に、上記気流案内板１１ａ、１１ｂ、１１ｃ間の間隔寸法が、既設の給気ダクト１０２により供給される給気量や風速を考慮しつつ具体的に適宜設定されることになる。
【００４１】
そして、これら気流案内板１１ａ、１１ｂ、１１ｃからなる給気拡散構造１０の案内作用により、上記給気ダクト１０２から吹き込まれた気流（給気）が、減速されるとともに強制的に拡散されて、上記吹出し口４に到達することになる。
【００４２】
例えば、上記給気ダクト１０２内を送られる空気の流速（風速）は６〜８ｍ／ｓｅｃと比較的早いのに対して、上記給気拡散構造１０の減速作用により、１．０ｍ／ｓｅｃ以下まで減速されかつ拡散されて均等される結果、上記吹出し口４から室内１００へ吹出し供給される給気の風速は、人が不快感を受けず、衛生的で健康に配慮した継続的風速とされる０．５ｍ／ｓｅｃ以下に維持される。
【００４３】
しかして、以上のように構成された給気吹出し口装置１を備えた空調設備において、給気ダクト１０２を通して送られてくる空気（給気）は、給気吹出し口装置１の給気ボックス２を介して室内に供給される。
【００４４】
この際、上記給気拡散構造１０を備える給気均等化装置５が、給気ダクト１０２と給気ボックス２との接続部３に設けられているから、給気ボックス２の吹出し口４から吹出し供給される給気は、室内１００の空気環境を損なわない程度の低速まで減速拡散されて均等化されることとなる。
【００４５】
この結果、室内１００には、上記吹出し口４から緩やか（ソフト）にかつ均等な給気が吹き出し供給される。換言すれば、上記吹出し口４からの給気により室内１００に渦流が発生することはなく、人に不快感を与えたり、室内１００に存在する埃や塵を吹き飛ばして室内環境を悪化させてしまうこともなく、健康的で、汚れや付着臭のない換気や空調が実現する。
【００４６】
具体的には、上述したように、一般的な換気設備あるいは空調設備において、給気ダクト１０２内の空気の流速（風速）は６〜８ｍ／ｓｅｃと比較的早いところ、上記給気均等化装置５の給気拡散構造１０によって、例えば１．０ｍ／ｓｅｃ以下まで減速されかつ拡散されて均等される結果、給気ボックス２の吹出し口４から吹き出される給気の風速つまり室内空気の風速は、人が不快感を受けず、衛生的で健康に配慮した継続的風速とされる０．５ｍ／ｓｅｃ以下に維持させることができる。
【００４７】
実施形態２
本実施形態は図５および図６に示されており、実施形態１の吹出し給気均等化装置５の構成が改変されたものである。
【００４８】
すなわち、本実施形態の吹出し給気均等化装置５は、給気拡散構造１０が複数の気流案内板２１、２１、…から構成されている点は実施形態１と同様であるが、これら気流案内板２１、２１、…は、給気ダクト１０２との接続部から給気ボックス２の吹出し口４の開口平面Ａに対して垂直起立状に延びて配置されている縦型案内板の形態とされている。
【００４９】
具体的には、給気ボックス２の垂直な一側壁には、吹出し給気均等化装置５が装置される装置ボックス２２が設けられるとともに、この装置ボックス２２に、円筒状の接続部３が連設され、この接続部３が給気ダクト１０２に接続可能とされている。
【００５０】
上記装置ボックス２２は、図示のごとく中空の直方体形状とされ、その内部に上記給気拡散構造１０の複数（図示の場合は６枚）の気流案内板２１ａ、２１ｂ、２１ｃ、…が内装されてなる。
【００５１】
これら６枚の気流案内板２１ａ、２１ｂ、２１ｃ、…は、具体的には３種類の気流案内板２１ａ、２１ｂ、２１ｃが図示のごとく左右対称に配置されるとともに、中心位置の一対の気流案内板２１ａ、２１ａが上記給気ダクト１０２との接続側端を接合されてなる。
【００５２】
これにより、給気ダクト１０２から給気ボックス２に供給される給気は、上記気流案内板２１ａ、２１ｂ、２１ｃ、…により、複数つまり図示の場合は６分割に分割されて、上記吹出し口４の開口平面Ａに向けて放射状に案内される。
【００５３】
なお、上記気流案内板２１ａ、２１ｂ、２１ｃ、…間の間隔寸法は、実施形態１の場合と同様に、給気ボックス２の吹出し口４から吹き出される空気（給気）の吹出し状態を吹出し口４の開口全面において均等にするため、給気ダクト１０２により供給される給気量や風速を考慮しつつ、給気源である給気ファンの動力、給気ダクト１０２の内径寸法、延長長さ寸法等に対応して、具体的に適宜設定される。
【００５４】
また、６枚の気流案内板２１ａ、２１ｂ、２１ｃ、…は、その両側端縁が上記給気ボックス２の一部を構成する装置ボックス２２の内面に、溶接等の適宜固定手段により一体的に接合固定されて、給気ボックス２内に上記給気ダクト１０２から上記吹出し口４へ向かう区画された気流案内通路を形成している。
【００５５】
なお、本実施形態の給気吹出し口装置１が、例えば、既設の空調設備における給気吹出し口装置と交換される場合などを考慮して、上記６枚の気流案内板２１ａ、２１ｂ、２１ｃ、…を内装する複数種類の装置ボックス２２、つまり６枚の気流案内板２１ａ、２１ｂ、２１ｃ、…の配置構成が異なる複数種類の給気拡散構造１０を予め作製しておき、既設の空調設備における給気吹出し口装置と交換される際に、これらを設置現場の条件に応じて適宜選択採用する構成とされてもよい。
その他の構成および作用は実施形態１と同様である。
【００５６】
実施形態３
本実施形態は図７および図８に示されており、実施形態２の吹出し給気均等化装置５の構成が若干改変されたものである。
【００５７】
すなわち、本実施形態の吹出し給気均等化装置５は、給気拡散構造１０が６枚の気流案内板３１ａ、３１ｂ、３１ｃ、…から構成され、これら気流案内板３１ａ、３１ｂ、３１ｃ、…が縦型案内板の形態とされているという点において、実施形態２と同様である。
【００５８】
本実施形態においては、６枚の気流案内板３１ａ、３１ｂ、３１ｃ、…は、装置ボックス２２から、さらに給気ボックス２の内部まで延びて設けられている。
【００５９】
すなわち、これら６枚の気流案内板３１ａ、３１ｂ、３１ｃ、…は、実施形態２と同様に、３種類の気流案内板３１ａ、３１ｂ、３１ｃが図示のごとく左右対称に配置されるとともに、中心位置の一対の気流案内板３１ａ、３１ａが上記給気ダクト１０２との接続側端を接合されてなる。
【００６０】
また、６枚の気流案内板３１ａ、３１ｂ、３１ｃ、…の先端側は、上記装置ボックス２２から給気ボックス２の内部まで延びて、その先端がそれぞれ給気ボックス２における上記装置ボックス２２と反対側内面２ｂに当接されている。
【００６１】
これにより、給気ダクト１０２から給気ボックス２に供給される給気は、上記気流案内板３１ａ、３１ｂ、３１ｃ、…により６分割に分割されて、上記吹出し口４の開口平面Ａに向けて放射状に案内される。
【００６２】
なお、上記気流案内板３１ａ、３１ｂ、３１ｃ、…間の間隔寸法は、実施形態１と同様に、給気ボックス２の吹出し口４から吹き出される空気（給気）の吹出し状態を吹出し口４の開口全面において均等にするため、給気ダクト１０２により供給される給気量や風速を考慮しつつ、給気源である給気ファンの動力、給気ダクト１０２の内径寸法、延長長さ寸法等に対応して、具体的に適宜設定される。
【００６３】
また、本実施形態においても、６枚の気流案内板３１ａ、３１ｂ、３１ｃ、…は、その両側端縁が上記装置ボックス２２および給気ボックス２の内面に、溶接等の適宜固定手段により一体的に接合固定されて、装置ボックス２２および給気ボックス２内に、上記給気ダクト１０２から上記吹出し口４へ向かう区画された気流案内通路を形成している。
【００６４】
これに関連して、図８（ｂ）に二点鎖線で示されるように、上記気流案内板３１ａ、３１ｂ、３１ｃ、…の基端部が接続部３まで延びて配置されても良い。
【００６５】
本実施形態の給気吹出し口装置１が、例えば、既設の空調設備における給気吹出し口装置と交換される場合などを考慮して、６枚の気流案内板３１ａ、３１ｂ、３１ｃ、…の具体的配置構造が調整設定される構成とされてもよいことは、前述した実施形態１の場合と同様である。
その他の構成および作用は実施形態１と同様である。
【００６６】
実施形態４
本実施形態は図９および図１０に示されており、実施形態１の吹出し給気均等化装置５の構成が改変されたものである。
【００６７】
すなわち、本実施形態の吹出し給気均等化装置５は、給気拡散構造１０が羽根車を回転可能に支持されてなる攪拌風車の形態とされている。
【００６８】
具体的には、給気ボックス２の垂直な一側壁には、実施形態２および３と同様に、装置ボックス２２が設けられるとともに、この装置ボックス２２に、円筒状の接続部３が連設され、この接続部３が給気ダクト１０２に接続可能とされている。
【００６９】
上記装置ボックス２２は、図示のごとく中空の直方体形状とされ、その内部に左右一対の攪拌風車４１、４１が水平方向へ自由回転可能な状態で内装されてなる。
【００７０】
上記攪拌風車４１の具体的構造は、複数枚の矩形状の攪拌羽根４１ａ、４１ａ、…が回転軸心つまり支軸４２まわりに所定間隔をもって円筒状に配されてなり、これら攪拌羽根４１ａ、４１ａ、…は、上記回転軸心を中心として放射状に配置されている。
【００７１】
図示の実施形態においては、上記攪拌風車４１は、給気ダクト１０２と給気ボックス２との接続部、具体的には上記装置ボックス２２において、給気ダクト１０２の中心軸Ｘに対して、給気ボックス２の吹出し口４の開口平面Ａに平行な左右対称位置に一対自由回転可能に配置されている。
【００７２】
なお、上記攪拌風車４１の具体的な回転支持構造は、目的に応じて適宜設計される。例えば、（i）上記支軸４２が固定軸として上記装置ボックス２２の上下面に固定されるとともに、この固定軸４２に、上記攪拌羽根４１ａ、４１ａ、…が回転可能に軸支され、あるいは、（ii）上記支軸４２が回転軸として上記装置ボックス２２の上下面に回転可能に軸支されるとともに、この回転軸４２に、上記攪拌羽根４１ａ、４１ａ、…が固定支持される。
【００７３】
しかして、以上のように構成された給気吹出し口装置１を備えた空調設備において、給気ダクト１０２を通して送られてくる空気（給気）は、給気吹出し口装置１の給気ボックス２を介して室内に供給される。
【００７４】
この際、給気ダクト１０２と給気ボックス２との接続部３に設けられている給気拡散構造１０を構成する左右一対の攪拌風車４１、４１により、給気ボックス２の吹出し口４から吹出し供給される給気は、室内１００の空気環境を損なわない程度の低速まで減速拡散されて均等化されることとなる。
【００７５】
すなわち、給気ダクト１０２により送られてくる給気が、上記左右一対の攪拌風車４１、４１の間部位を通過しようとすると、これら攪拌風車４１、４１がこの給気流の力によって給気の流れに沿って回転して（図９および図１０（ｂ）における矢符方向へ回転）、給気の風速を減速させるとともに、給気の流れを回転変化させて、給気を給気ボックス２内へ均等に拡散する。これにより、室内１００には、上記吹出し口４から緩やか（ソフト）にかつ均等な給気が下向きに吹き出し供給される。
その他の構成および作用は実施形態１と同様である。
【００７６】
なお、上述した実施形態１〜４はあくまでも本発明の好適な実施態様を示すものであって、本発明はこれに限定されることなく、その範囲内で種々の設計変更が可能である。
【００７７】
例えば、給気吹出し口装置１における給気拡散構造１０の具体的な構成は、同様な機能（給気ボックス２の吹出し口４から吹き出される給気の吹出し状態を吹出し口４の開口平面全体において均等化する作用）を発揮し得る限り、他の構成も採用可能であり、図示の実施形態１〜４における各構成要素（気流案内板１１、２１、３１および攪拌風車４１）の具体的構成や形状寸法、ならびに設置数および設置構成も適用すべき対象設備等、目的に応じて適宜設計変更され得る。
【００７８】
また、図示の実施形態１〜４は、本発明が空調設備における給気吹出し口装置１として適用された場合のものであるが、同様に、換気設備において室内に給気を吹出し供給するための給気吹出し口装置にも適用することができる。
【００７９】
さらに、本発明は、レンジフード装置のように給排気を同時に行う局所換気装置の給気部位にも適用可能である。
【図面の簡単な説明】
【００８０】
【図１】本発明の実施形態１である空調設備における給気吹出し口装置を一部切開して示す斜視図である。
【図２】同給気吹出し口装置の給気ボックスを示し、図２（ａ）は正面図、図２（ｂ）は底面図、および図２（ｃ）は図２（ｂ）におけるＣ−Ｃ線に沿った断面図である。
【図３】同じく同給気ボックスを示し、図３（ａ）は側面図、図３（ｂ）は図２（ａ）におけるＢ−Ｂ線に沿った断面図である。
【図４】同給気吹出し口装置が室内の天井部分に吹出し口を室内に臨ませて設置された状態を示す斜視図である。
【図５】本発明の実施形態２である空調設備における給気吹出し口装置を一部切開して示す斜視図である。
【図６】同給気吹出し口装置の給気ボックスを示し、図６（ａ）は正面図、図６（ｂ）は一部切開して示す底面図、および図６（ｃ）は側面図である。
【図７】本発明の実施形態３である空調設備における給気吹出し口装置を一部切開して示す斜視図である。
【図８】同給気吹出し口装置の給気ボックスを示し、図８（ａ）は正面図、図８（ｂ）は一部切開して示す底面図、および図８（ｃ）は側面図である。
【図９】本発明の実施形態４である空調設備における給気吹出し口装置を一部切開して示す斜視図である。
【図１０】同給気吹出し口装置の給気ボックスを示し、図１０（ａ）は正面図、図１０（ｂ）は一部切開して示す底面図、および図１０（ｃ）は側面図である。
【符号の説明】
【００８１】
Ａ                          開口平面
Ｘ                      給気ダクトの中心軸
１                      給気吹出し口装置
２                      給気ボックス
２ａ                        給気ボックスの底面
３                      接続部
４                          吹出し口
５                          吹出し給気均等化装置（吹出し給気均等化手段）
６                      通気カバー部材
１０                    給気拡散構造
１１（１１ａ〜１１ｃ）    気流案内板
２１（２１ａ〜２１ｃ）    気流案内板
２２                      装置ボックス
３１（３１ａ〜３１ｃ）    気流案内板
４１                      攪拌風車
４１ａ                    攪拌羽根
４２                      支軸
１００                    室内
１０１                        天井
１０２                        給気ダクト
【図１】
2008209039.tif 000003
【図２】
2008209039.tif 000004
【図３】
2008209039.tif 000005
【図４】
2008209039.tif 000006
【図５】
2008209039.tif 000007
【図６】
2008209039.tif 000008
【図７】
2008209039.tif 000009
【図８】
2008209039.tif 000010
【図９】
2008209039.tif 000011
【図１０】
2008209039.tif 000012